(57)【要約】【課題】  最小線幅０．２ミクロン以下のパターンを有する試料の欠陥検査等の評価を、マルチビームを用いて高スループットで行なう。【解決手段】  単一のカソードから放出された電子線をマルチ開口で分離し、マルチビームを作る。集束したマルチビームを用いて、評価すべき試料と同じＺ座標にあるマーカ上を走査する。マーカ上の走査点から放出された電子線をＥ×Ｂ分離器で一次電子線から分離し、単一の検出器で検出する。単一の検出器を用いた検出によって、ビーム分解能、ビーム間隔およびビーム強度のうちの少なくとも一つを評価する。次にＥ×Ｂ分離器の偏向方向を逆にし、試料上の走査点から放出された二次電子群を二次光学系へ導く。複数の検出器で二次電子群によるマルチビームの各ビームに対応する信号を検出し、試料面上のパターンの評価を行なう。【選択図】図１
2006019032.tif 000002
【特許請求の範囲】
【請求項１】
複数の電子線を試料に照射し、試料面上のパターンの評価を行なう方法であって、
ａ．マルチ開口を用いてマルチビームを作るステップと、
ｂ．マルチビームを集束し、集束されたマルチビームを用いて、評価すべき試料と同じＺ座標にあるマーカ上を走査するステップと、
ｃ．マーカ上の走査点から放出された電子線をＥ×Ｂ分離器で一次電子線から分離し、検出器で検出するステップと、
ｄ．前記検出器を用いた検出によって、ビーム分解能、ビーム間隔およびビーム強度のうちの少なくとも一つを評価するステップと、
ｅ．Ｅ×Ｂ分離器の偏向方向を逆にし、試料上の走査点から放出された二次電子群を二次光学系へ導くステップと、
ｆ．複数の検出器で二次電子群によるマルチビームの各ビームに対応する信号を検出し、試料面上のパターンの評価を行なうステップと、
を有することを特徴とするパターン評価方法。
【請求項２】
複数の電子線を試料に照射し、試料面上のパターンの評価を行なう方法であって、
ａ．マルチビームを作るステップと、
ｂ．マルチビームを集束し、集束されたマルチビームを用いて、評価すべき試料面上を走査するステップと、
ｃ．試料面上の走査点から放出された二次電子群による複数の電子線をＥ×Ｂ分離器で一次電子線から分離し、二次光学系へ導くステップと、
ｄ．前記複数の電子線に対応した複数の検出器でマルチビームの各ビームに対応する信号を検出し、試料面上のパターンの評価を行なうステップと、
を有し、ここで、一次光学系の対物レンズとその上流のレンズとの間の距離が、二次光学系での対物レンズとその次の下流のレンズとの間の距離より大きいことを特徴とするパターン評価方法。
【請求項３】
請求項２に記載のパターン評価方法において、前記一次光学系の対物レンズとその上流のレンズとの間の距離が、二次光学系での対物レンズとその次の下流のレンズとの間の距離の２倍以上であることを特徴とするパターン評価方法。
【請求項４】
請求項１に記載のパターン評価方法において、前記マーカは、平坦な基板上に設けられ、それぞれがビーム間隔より小寸法の径を有する複数の重金属のドットからなるドットパターンか、それぞれがビーム間隔より小寸法の径を有する複数の穴を備えたマーカか、あるいは、ｘ軸又はｙ軸に平行に延び、ビーム間隔より大寸法の幅を有するナイフエッジ状のパターンであることを特徴とするパターン評価方法。
【請求項５】
ａ）ウェーハを準備するステップと、
ｂ）ウェーハプロセスを行うステップと、
ｃ）プロセス後のウェーハの評価を請求項１ないし４のいずれかに記載の方法を用いて行なうステップと、
ｄ）前記ステップｂ）およびｃ）を必要な数だけ繰り返すステップと、
ｅ）ウェーハをダイに分割し、デバイスを組み立てるステップと、
を有することを特徴とするデバイス製造方法。
【請求項６】
複数の電子線を試料に照射し、試料面上のパターンの評価を行なう装置であって、
ａ．マルチビームを作る手段と、
ｂ．マルチビームを集束し、集束されたマルチビームを用いて、評価すべき試料面上を走査する手段と、
ｃ．試料面上の走査点から放出された二次電子群による複数の電子線をＥ×Ｂ分離器で一次電子線から分離し、二次光学系へ導く手段と、
ｄ．前記複数の電子線に対応した複数の検出器でマルチビームの各ビームに対応する信号を検出し、試料面上のパターンの評価を行なう手段と、
を有し、ここで、一次光学系の対物レンズとその上流のレンズとの間の距離が、二次光学系での対物レンズとその次の下流のレンズとの間の距離より大きいことを特徴とするパターン評価装置。
【請求項７】
請求項６に記載のパターン評価装置において、前記一次光学系の対物レンズとその上流のレンズとの間の距離が、二次光学系での対物レンズとその次の下流のレンズとの間の距離の２倍以上であることを特徴とするパターン評価装置。
【請求項８】
複数のビームで試料面上のパターンの評価を行なう方法であって、
ａ．カソードを有する電子銃から放出された電子線を複数の開口に照射し、マルチビームを形成するステップと、
ｂ．上記複数の開口を通過したビームのクロスオーバを、該クロスオーバの寸法より十分大きい寸法を有するＮＡ開口またはその近傍に形成するステップと、
ｃ．上記クロスオーバの拡大像を対物レンズの主面近傍のＺ座標位置に結像させるステップと、
ｄ．上記マルチ開口の像を少なくとも縮小レンズと対物レンズとで試料面上に縮小像を形成するステップと、
ｅ．縮小レンズと対物レンズとの間に設けた少なくとも２段の偏向器を用いてマルチビームで試料上を走査するステップと、
ｆ．試料上の走査点から放出された二次電子群を対物レンズで加速・集束するステップと、
ｇ．対物レンズを通過した二次電子群をＥ×Ｂ分離器で偏向し、二次光学系に入射させるステップと、
ｈ．二次光学系により上記二次電子群の相互の間隔を拡大し、複数の二次電子検出器に導くステップと、
ｉ．上記検出器で検出された信号から試料面上のパターンの評価を行なうステップと、
を有することを特徴とするパターン評価方法。
【請求項９】
複数のビームで試料面上のパターンの評価を行なう方法であって、
ａ．カソードを有する電子銃から放出された電子線にして、３次の球面収差が負であるかあるいはカソードより試料側でクロスオーバを作らない発散ビームである電子線を複数の開口に照射し、マルチビームを形成するステップと、
ｂ．上記複数の開口を通過したビームのクロスオーバをＮＡ開口またはその近傍に結像させるステップと、
ｃ．上記クロスオーバの拡大像を対物レンズの主面の近傍に結像させるステップと、
ｄ．上記マルチ開口の像を縮小レンズと対物レンズとで試料面上に縮小像を形成するステップと、
ｅ．縮小レンズと対物レンズとの間に設けた少なくとも２段の偏向器を用いてマルチビームで試料上を走査するステップと、
ｆ．試料上の走査点から放出された二次電子群を対物レンズの方向に加速・集束するステップと、
ｇ．対物レンズを通過した二次電子群をＥ×Ｂ分離器で偏向し、二次光学系に入射させるステップと、
ｈ．二次光学系により上記二次電子群の相互の間隔を拡大し、複数の二次電子検出器に導くステップと、
ｉ．上記検出器で検出された信号から試料面上のパターンの評価を行なうステップと、
を有することを特徴とするパターン評価方法。
【請求項１０】
請求項８または９に記載のパターン評価方法において、上記ＮＡ開口またはその近傍にクロスオーバを結像させるレンズが、マルチ開口の直前あるいは直後に配置されたコンデンサレンズであり、該コンデンサレンズの励起条件は、マルチ開口の光軸から遠い開口を通過したビームがＮＡ開口に結像することを条件として設定されることを特徴とするパターン評価方法。
【請求項１１】
請求項８ないし１０のいずれかに記載のパターン評価方法において、試料面から該試料面の法線方向に対して±９０°の範囲内に放出された二次電子群の全てを途中で遮断することなく二次電子検出器方向に導くことを特徴とするパターン評価方法。
【請求項１２】
ａ）ウェーハを準備するステップと、
ｂ）ウェーハプロセスを行うステップと、
ｃ）プロセス後のウェーハの評価を請求項８ないし１１のいずれかに記載の方法を用いて行なうステップと、
ｄ）前記ステップｂ）およびｃ）を必要な数だけ繰り返すステップと、
ｅ）ウェーハをダイに分割し、デバイスを組み立てるステップと、
を有することを特徴とするデバイス製造方法。
【請求項１３】
複数の電子線で試料面上のパターンを走査し、該パターンを評価する方法であって、
ａ．複数のビームを発生させるステップと、
ｂ．少なくとも２段のレンズを用いて、前記複数のビームを縮小し、試料面上に合焦させるステップと、
ｃ．偏向器を用いて前記複数のビームで同時に試料面上を走査するステップと、
ｄ．試料上の走査点から放出された二次電子、反射電子又は透過電子を対物レンズの方向に向けて加速・集束し、対物レンズを透過させるステップと、
ｅ．対物レンズを通過した複数の二次電子線をＥ×Ｂ分離器で一次光学系から分離し、二次光学系に入射させるステップと、
ｆ．二次光学系で前記複数の二次電子線の互いの間隔を拡大し、検出器に入射させるステップと、
を有し、
前記Ｅ×Ｂ分離器の直後のレンズの外形形状は円錐あるいは頂点の半径の小さい円錐台形状であることを特徴とするパターン評価方法。
【請求項１４】
複数の電子線で試料上のパターンを走査し、該パターンを評価する方法であって、
ａ．複数のビームを発生させるステップと、
ｂ．少なくとも２段のレンズを用いて、前記複数のビームを縮小して試料面上に合焦させるステップと、
ｃ．偏向器を用いて前記複数のビームで同時に試料面上を走査するステップと、
ｄ．試料上の走査点から放出された二次電子、反射電子又は透過電子を対物レンズの方向に向けて加速・集束し、対物レンズを透過させるステップと、
ｅ．対物レンズを通過した複数の二次電子線を写像光学系で拡大するステップと、
ｆ．写像光学系で拡大された複数の二次電子線をその数に対応した検出器で検出し、二次元画像を形成するステップと、
を有し、
前記少なくとも２段のレンズのうち１段のレンズは３枚の電極を有し、その中央電極は正の高電圧を与えられる静電レンズあるいは電磁レンズであることを特徴とするパターン評価方法。
【請求項１５】
請求項１３または１４に記載のパターン評価方法において、前記複数のビームを発生する方式は、先端の尖ったカソードを有する電子銃から放出される電子線を複数の開口に照射する方式であることを特徴とするパターン評価方法。
【請求項１６】
請求項１３または１４に記載のパターン評価方法において、前記複数のビームを発生させるステップは複数の光軸を有する系で形成されることを特徴とするパターン評価方法。
【請求項１７】
ａ）ウェーハを準備するステップと、
ｂ）ウェーハプロセスを行うステップと、
ｃ）プロセス後のウェーハの評価を請求項１３ないし１６のいずれかに記載の方法を用いて行なうステップと、
ｄ）前記ステップｂ）およびｃ）を必要な数だけ繰り返すステップと、
ｅ）ウェーハをダイに分割し、デバイスを組み立てるステップと、
を有することを特徴とするデバイス製造方法。
【請求項１８】
複数の電子線で試料面上のパターンを走査し、該パターンを評価する装置であって、
ａ．複数のビームを発生させる手段と、
ｂ．少なくとも２段のレンズを用いて、前記複数のビームを縮小し、試料面上に合焦させる手段と、
ｃ．偏向器を用いて前記複数のビームで同時に試料面上を走査する手段と、
ｄ．試料上の走査点から放出された二次電子、反射電子又は透過電子を対物レンズの方向に向けて加速・集束し、対物レンズを透過させる手段と、
ｅ．対物レンズを通過した複数の二次電子線をＥ×Ｂ分離器で一次光学系から分離し、二次光学系に入射させる手段と、
ｆ．二次光学系で前記複数の二次電子線の互いの間隔を拡大し、検出器に入射させる手段と、
を有し、
前記Ｅ×Ｂ分離器の直後のレンズの外形形状は円錐あるいは頂点の半径の小さい円錐台形状であることを特徴とするパターン評価装置。
【請求項１９】
請求項１８に記載のパターン評価装置において、前記複数のビームを発生する方式は、先端の尖ったカソードを有する電子銃から放出される電子線を複数の開口に照射する方式であることを特徴とするパターン評価装置。
【請求項２０】
請求項１８に記載のパターン評価装置において、前記複数のビームを発生させるステップは複数の光軸を有する系で形成されることを特徴とするパターン評価装置。
【発明の詳細な説明】
【技術分野】
【０００１】
本発明は最小線幅０．２μｍ以下のパターンを有する試料の欠陥検査等の評価を高スループットで行なう方法及びそのような方法を用いるデバイス製造方法に関する。
【背景技術】
【０００２】
本願の第１発明に関して言えば、パターンの評価を複数の電子線すなわちマルチビームで行なう方法は提案されているが、実用的な製品は未だ発売されていない。また、マルチビームをどのようにして観測し、どのようにして評価すべきかを記した文献はこれまでに見当たらない。
【０００３】
本願の第２発明に関して言えば、従来、光軸から等距離の位置に８個程度のマルチビームを作り、それによって試料上を走査し、試料からの二次電子を写像投影光学系で拡大して試料の評価を行なう方法が提案されていた。光軸から等距離の位置にマルチビームを作ろうとすると、光軸を中心とした円周上にビームを並べる必要がある。１０個以上のビームを作ろうとすると、円周の直径を大きくする必要があり、電子銃及びレンズ収差に大きい負担が生じる問題が明らかになってきた。
【０００４】
本願の第３発明に関して言えば、マルチビームを用いるパターン評価装置については従来からいくつかの方式が提案されている。従来のマルチビームではビームの数を増やそうとすると、対物レンズは勿論、縮小レンズやコンデンサレンズの収差により、光軸から遠いビームの分解能が落ちる問題点があった。さらに一次電子線と二次電子の合焦条件を同時に満たすことが困難である問題点があった。
【発明の開示】
【発明が解決しようとする課題】
【０００５】
本願の第１発明は、上述した問題点に鑑みてなされたもので、マルチビームの調整方法に重点を置いたパターン評価方法を提供し、さらにこのような評価方法を用いて、歩留まり良くデバイスを製造する方法を提供することを目的とする。
【０００６】
本願の第２発明は、上記問題点を克服することにより、１０個以上のマルチビームを発生させて、これにより試料上を走査することによって高スループットで試料の評価を行なう方法を提供し、さらにそのような方法を用いて歩留まり良くデバイスを製造する方法を提供することを目的とする。
【０００７】
本願の第３発明は、上記問題点に鑑みてなされたもので、光軸からある程度まで離れたビームも試料上に細く絞って形成でき、また一次ビームと二次ビームを同時に合焦させることが可能なビーム形成方法を提供することを目的とする。
【課題を解決するための手段】
【０００８】
本願の第１発明によれば、
複数の電子線を試料に照射し、試料面上のパターンの評価を行なう方法であって、
ａ．マルチ開口を用いてマルチビームを作るステップと、
ｂ．マルチビームを集束し、集束されたマルチビームを用いて、評価すべき試料と同じＺ座標にあるマーカ上を走査するステップと、
ｃ．マーカ上の走査点から放出された電子線をＥ×Ｂ分離器で一次電子線から分離し、検出器で検出するステップと、
ｄ．前記検出器を用いた検出によって、ビーム分解能、ビーム間隔およびビーム強度のうちの少なくとも一つを評価するステップと、
ｅ．Ｅ×Ｂ分離器の偏向方向を逆にし、試料上の走査点から放出された二次電子群を二次光学系へ導くステップと、
ｆ．複数の検出器で二次電子群によるマルチビームの各ビームに対応する信号を検出し、試料面上のパターンの評価を行なうステップと、
を有することを特徴とするパターン評価方法が提供される。
【０００９】
本願の第１発明によればまた、
複数の電子線を試料に照射し、試料面上のパターンの評価を行なう方法であって、
ａ．マルチビームを作るステップと、
ｂ．マルチビームを集束し、集束されたマルチビームを用いて、評価すべき試料面上を走査するステップと、
ｃ．試料面上の走査点から放出された二次電子群による複数の電子線をＥ×Ｂ分離器で一次電子線から分離し、二次光学系へ導くステップと、
ｄ．前記複数の電子線に対応した複数の検出器でマルチビームの各ビームに対応する信号を検出し、試料面上のパターンの評価を行なうステップと、
を有し、ここで、一次光学系の対物レンズとその上流のレンズとの間の距離が、二次光学系での対物レンズとその次の下流のレンズとの間の距離より大きいことを特徴とするパターン評価方法も提供される。
【００１０】
本願の第１発明の２番目に記載したパターン評価方法において、前記一次光学系の対物レンズとその上流のレンズとの間の距離を、二次光学系での対物レンズとその次の下流のレンズとの間の距離の２倍以上とすることができる。
【００１１】
本願の第１発明の１番目に記載したパターン評価方法において、前記マーカは、平坦な基板上に設けられ、それぞれがビーム間隔より小寸法の径を有する複数の重金属のドットからなるドットパターンか、それぞれがビーム間隔より小寸法の径を有する複数の穴を備えたマーカか、あるいは、ｘ軸又はｙ軸に平行に延び、ビーム間隔より大寸法の幅を有するナイフエッジ状のパターンとすることができる。
【００１２】
さらに本願の第１発明によれば、
ａ）ウェーハを準備するステップと、
ｂ）ウェーハプロセスを行うステップと、
ｃ）プロセス後のウェーハの評価を上述したいずれかの方法を用いて行なうステップと、
ｄ）前記ステップｂ）およびｃ）を必要な数だけ繰り返すステップと、
ｅ）ウェーハをダイに分割し、デバイスを組み立てるステップと、
を有することを特徴とするデバイス製造方法も提供される。
【００１３】
さらに、本願の第１発明の別態様として、
複数の電子線を試料に照射し、試料面上のパターンの評価を行なう装置であって、
ａ．マルチビームを作る手段と、
ｂ．マルチビームを集束し、集束されたマルチビームを用いて、評価すべき試料面上を走査する手段と、
ｃ．試料面上の走査点から放出された二次電子群による複数の電子線をＥ×Ｂ分離器で一次電子線から分離し、二次光学系へ導く手段と、
ｄ．前記複数の電子線に対応した複数の検出器でマルチビームの各ビームに対応する信号を検出し、試料面上のパターンの評価を行なう手段と、
を有し、ここで、一次光学系の対物レンズとその上流のレンズとの間の距離が、二次光学系での対物レンズとその次の下流のレンズとの間の距離より大きいことを特徴とするパターン評価装置も提供される。
【００１４】
このパターン評価装置において、前記一次光学系の対物レンズとその上流のレンズとの間の距離を、二次光学系での対物レンズとその次の下流のレンズとの間の距離の２倍以上とすることができる。
【００１５】
本願の第２発明によれば、
複数のビームで試料面上のパターンの評価を行なう方法であって、
ａ．カソードを有する電子銃から放出された電子線を複数の開ロに照射し、マルチビームを形成するステップと、
ｂ．上記複数の開口を通過したビームのクロスオーバを、該クロスオーバの寸法より十分大きい寸法を有するＮＡ開口またはその近傍に形成するステップと、
ｃ．上記クロスオーバの拡大像を対物レンズの主面近傍のＺ座標位置に結像させるステップと、
ｄ．上記マルチ開口の像を少なくとも縮小レンズと対物レンズとで試料面上に縮小像を形成するステップと、
ｅ．縮小レンズと対物レンズとの間に設けた少なくとも２段の偏向器を用いてマルチビームで試料上を走査するステップと、
ｆ．試料上の走査点から放出された二次電子群を対物レンズで加速・集束するステップと、
ｇ．対物レンズを通過した二次電子群をＥ×Ｂ分離器で偏向し、二次光学系に入射させるステップと、
ｈ．二次光学系により上記二次電子群の相互の間隔を拡大し、複数の二次電子検出器に導くステップと、
ｉ．上記検出器で検出された信号から試料面上のパターンの評価を行なうステップと、
を有することを特徴とするパターン評価方法が提供される。
【００１６】
本願の第２発明によればまた、
複数のビームで試料面上のパターンの評価を行なう方法であって、
ａ．カソードを有する電子銃から放出された電子線にして、３次の球面収差が負であるかあるいはカソードより試料側でクロスオーバを作らない発散ビームである電子線を複数の開口に照射し、マルチビームを形成するステップと、
ｂ．上記複数の開口を通過したビームのクロスオーバをＮＡ開口またはその近傍に結像させるステップと、
ｃ．上記クロスオーバの拡大像を対物レンズの主面の近傍に結像させるステップと、
ｄ．上記マルチ開口の像を縮小レンズと対物レンズとで試料面上に縮小像を形成するステップと、
ｅ．縮小レンズと対物レンズとの間に設けた少なくとも２段の偏向器を用いてマルチビームで試料上を走査するステップと、
ｆ．試料上の走査点から放出された二次電子群を対物レンズの方向に加速・集束するステップと、
ｇ．対物レンズを通過した二次電子群をＥ×Ｂ分離器で偏向し、二次光学系に入射させるステップと、
ｈ．二次光学系により上記二次電子群の相互の間隔を拡大し、複数の二次電子検出器に導くステップと、
ｉ．上記検出器で検出された信号から試料面上のパターンの評価を行なうステップと、
を有することを特徴とするパターン評価方法も提供される。
【００１７】
本願の第２発明の上述したいずれかのパターン評価方法において、上記ＮＡ開口またはその近傍にクロスオーバを結像させるレンズを、マルチ開口の直前あるいは直後に配置されたコンデンサレンズとし、該コンデンサレンズの励起条件を、マルチ開口の光軸から遠い開口を通過したビームがＮＡ開口に結像することを条件として設定されるようにすることができる。
【００１８】
また、本願の第２発明の上述したいずれかのパターン評価方法において、試料面から該試料面の法線方向に対して±９０°の範囲内に放出された二次電子群の全てを途中で遮断することなく二次電子検出器方向に導くようにすることができる。
【００１９】
さらに本願の第２発明によれば、
ａ）ウェーハを準備するステップと、
ｂ）ウェーハプロセスを行うステップと、
ｃ）プロセス後のウェーハの評価を上述したいずれかに記載の方法を用いて行なうステップと、
ｄ）前記ステップｂ）およびｃ）を必要な数だけ繰り返すステップと、
ｅ）ウェーハをダイに分割し、デバイスを組み立てるステップと、
を有することを特徴とするデバイス製造方法も提供される。
【００２０】
本願の第３発明によれば、
複数の電子線で試料面上のパターンを走査し、該パターンを評価する方法であって、
ａ．複数のビームを発生させるステップと、
ｂ．少なくとも２段のレンズを用いて、前記複数のビームを縮小し、試料面上に合焦させるステップと、
ｃ．偏向器を用いて前記複数のビームで同時に試料面上を走査するステップと、
ｄ．試料上の走査点から放出された二次電子、反射電子又は透過電子を対物レンズの方向に向けて加速・集束し、対物レンズを透過させるステップと、
ｅ．対物レンズを通過した複数の二次電子線をＥ×Ｂ分離器で一次光学系から分離し、二次光学系に入射させるステップと、
ｆ．二次光学系で前記複数の二次電子線の互いの間隔を拡大し、検出器に入射させるステップと、
を有し、
前記Ｅ×Ｂ分離器の直後のレンズの外形形状は円錐あるいは頂点の半径の小さい円錐台形状であることを特徴とするパターン評価方法が提供される。
【００２１】
本願の第３発明によればまた、
複数の電子線で試料上のパターンを走査し、該パターンを評価する方法であって、
ａ．複数のビームを発生させるステップと、
ｂ．少なくとも２段のレンズを用いて、前記複数のビームを縮小して試料面上に合焦させるステップと、
ｃ．偏向器を用いて前記複数のビームで同時に試料面上を走査するステップと、
ｄ．試料上の走査点から放出された二次電子、反射電子又は透過電子を対物レンズの方向に向けて加速・集束し、対物レンズを透過させるステップと、
ｅ．対物レンズを通過した複数の二次電子線を写像光学系で拡大するステップと、
ｆ．写像光学系で拡大された複数の二次電子線をその数に対応した検出器で検出し、二次元画像を形成するステップと、
を有し、
前記少なくとも２段のレンズのうち１段のレンズは３枚の電極を有し、その中央電極は正の高電圧を与えられる静電レンズまたは電磁レンズであることを特徴とするパターン評価方法も提供される。
【００２２】
また、本願の第３発明の上述したいずれかのパターン評価方法において、前記複数のビームを発生する方式を、先端の尖ったカソードを有する電子銃から放出される電子線を複数の開口に照射する方式とすることができる。
【００２３】
また、本願の第３発明の上述した１番目または２番目に記載のパターン評価方法において、前記複数のビームを発生させるステップを複数の光軸を有する系で形成することができる。
【００２４】
さらに本願の第３発明によれば、
ａ）ウェーハを準備するステップと、
ｂ）ウェーハプロセスを行うステップと、
ｃ）プロセス後のウェーハの評価を上述したいずれかに記載の方法を用いて行なうステップと、
ｄ）前記ステップｂ）およびｃ）を必要な数だけ繰り返すステップと、
ｅ）ウェーハをダイに分割し、デバイスを組み立てるステップと、
を有することを特徴とするデバイス製造方法も提供される。
【００２５】
さらに本願の第３発明の別態様によれば、
複数の電子線で試料面上のパターンを走査し、該パターンを評価する装置であって、
ａ．複数のビームを発生させる手段と、
ｂ．少なくとも２段のレンズを用いて、前記複数のビームを縮小し、試料面上に合焦させる手段と、
ｃ．偏向器を用いて前記複数のビームで同時に試料面上を走査する手段と、
ｄ．試料上の走査点から放出された二次電子、反射電子又は透過電子を対物レンズの方向に向けて加速・集束し、対物レンズを透過させる手段と、
ｅ．対物レンズを通過した複数の二次電子線をＥ×Ｂ分離器で一次光学系から分離し、二次光学系に入射させる手段と、
ｆ．二次光学系で前記複数の二次電子線の互いの間隔を拡大し、検出器に入射させる手段と、
を有し、
前記Ｅ×Ｂ分離器の直後のレンズの外形形状は円錐あるいは頂点の半径の小さい円錐台形状であることを特徴とするパターン評価装置が提供される。
【００２６】
このパターン評価装置において、前記複数のビームを発生する方式を、先端の尖ったカソードを有する電子銃から放出される電子線を複数の開口に照射する方式とすることができる。
【００２７】
また、前記複数のビームを発生させるステップを複数の光軸を有する系で形成することもできる。
【発明を実施するための最良の形態】
【００２８】
本願の第１発明の実施形態について、図１ないし図４を参照して説明する。
図１は本願の第１発明のパターン評価方法で用いられる電子光学系の全体像である。電子銃は、熱電子を放出するＬａＢ６カソード１、ウェーネルト２およびアノード３から成り、アノード３はレンズ４を構成している。ここでＬａＢ６カソード１は、０．５ｍｍ角程度の角柱形状の単結晶の先端を頂角が６０度ないし９０度の円錐形状となるように尖らせ、その先端を１５ないし４０μｍの曲率半径を有する半球面形状に研磨したものを使用した。電子銃から放出される電子線の放出角をこのレンズ４で調整可能にしている。レンズ４で放出角を調整された電子線は、コンデンサレンズ７で集束されＮＡ開口１１にクロスオーバを結ぶ。符号５，６は軸合わせ偏向器を示す。コンデンサレンズ７の下流にはマルチ開口８が設けられ、このマルチ開口８によってマルチビームを発生させる。これらのマルチビームは縮小レンズ１２と対物レンズ１７とで２段に縮小され、それぞれの径が１００ｎｍ以下のマルチビームを試料１８上に形成する。符号９，１０は、ＮＡ開口１１および縮小レンズ１２への軸合わせ用の偏向器を示す。走査用偏向器１３および１５を用いて、これらのマルチビームで試料１８上を二次元走査し、それによって試料上のパターンの評価が行なわれる。
【００２９】
しかしその前に、マルチビームの特性を評価する必要がある。そのため、試料と同じＺ座標にあるマーカ上をマルチビームで走査し、マーカから発生した二次電子を対物レンズで加速、集束し、Ｅ×Ｂ分離器１５，１６によって図１で見て左方へと偏向し、これを単一の二次電子検出器１４で検出する。これにより、ビーム分解能、ビーム間隔およびビーム強度のうちの少なくとも一つを評価する。まず、ビーム間隔を評価するには、マーカとして、平坦な基板上に符号２７で示したような重金属のドットからなるドットパターンを用いる（図２参照）。ここでは４個のドットがあるが、これらの間隔は、ビーム間の最大間隔より十分大きく、それぞれのドットの直径はビーム間の最小間隔より小さいので、一つのドットの近傍をマルチビームで二次元走査することにより、マルチビームの数のドットの像がビーム間隔の情報を持って形成される。この像からマルチビーム相互間の距離が実測できる。
【００３０】
ビーム電流すなわちビーム強度を個々のビームについて測定するには、図３に記したようなファラデーカップを用いる。ファラデーカップ２６の上には負の電源２５を印加されたアパーチャ２４が設けられている。このアパーチャ２４に入射しないビーム電流は測定されず、アパーチャ２４を通ったビームのみが電流計ＰＡで測定される。このアパーチャ２４の径の寸法をビーム間隔より小さくすれば、個々のビームについてビーム電流を測定することができる。
【００３１】
ビーム分解能を測定するには、図４に示したように、ｘ軸に平行に延びるナイフエッジ状の穴３１であって、ｙ軸方向の最小ビーム間隔より小寸法の幅を有し且つｘ軸方向の最大ビーム間隔より大寸法の長さを有するナイフエッジ状の穴（スリット）３１を用いる。このナイフエッジ状の穴３１をマルチビームで横切るように走査する。走査振幅が十分大きければ３３で示したような信号波形かファラデーカップ電流として得られる。各ビームがｙ軸へ投影したビーム間隔をｄｙｍとし、信号３３の各段の立上り部で、１２％から８８％に立上る時間をｔ、とすると、各ビームの分解能△ｙｉは、
【００３２】
【数１】
2006019032.tif 000003
【００３３】
で算出できる。ｘ軸方向のビーム寸法△Ｘｉを求めるには、同様の波形信号を得て、
【００３４】
【数２】
2006019032.tif 000004
【００３５】
から算出する。但しこの場合は、符号３２のビーム群と符号３４のビーム群とにおいてｙ軸方向のビーム間隔より大寸法の長さを有するナイフエッジ状ファラデーカップ穴を横切ってビームの走査を行なう必要がある。
【００３６】
図２に示すドット２８，２９，３０は、ドット２７より径寸法が大きい。ドットが小さすぎると信号が小さく、見付け難いため、これらの大寸法のドット２８，２９，３０を利用してビーム位置を確認し、その後、より小さいドット２７を探すようにする。このようにして評価したビームが設計どおりになっていなければ、レンズあるいは偏向器を調整して設計どおりになるよう調整する。設計通りになれば評価が終了する。より具体的には、ビーム間隔が広すぎる場合は縮小レンズの焦点距離を短くすればよいし、ビーム寸法が大きい場合は、対物レンズによる焦点合わせのやり直し、軸合わせのやり直し、非点補正のやり直しを行えばよく、ビーム強度が不足している場合は電子銃電流を増加させる調整を行えばよい。
【００３７】
このようにして一次ビームの評価が終了すると、Ｅ×Ｂ分離機の偏向方向を逆にし、二次光学系のレンズ１９，２１の方向へ二次電子群を偏向させる。ここで、試料１８におけるビームエネルギーは、一次ビームか数１００ｅＶであるのに対して二次電子は数ｅＶとエネルギー差が大きいので、同じ対物レンズ１７で一次ビームと二次ビームを同時に合焦させる必要がある。このためには、縮小レンズ１２と対物レンズ１７との間の距離を、対物レンズ１７と第１拡大レンズ１９との間の距離より長くすればよい。理想的には前者の寸法を後者の寸法の２倍以上にすれば、比較的大きい一次ビームのランディングエネルギーで、一次ビームおよび二次ビームともに合焦条件を満たすことができる。即ち、対物レンズによる二次電子の像点を、第１拡大レンズ１９の近くへ結像させることが可能となる。第１拡大レンズ１９で拡大された二次電子像はさらに拡大レンズ２１で拡大され、ＭＣＰ２３の前面にて二次電子像を作り、ＭＣＰ２３で各ビームの二次電子は増倍され、マルチアノード４０で吸収され、抵抗４１で電圧信号に変換され、マルチ増幅器４２で増幅され、Ａ／Ｄコンバータ４３でデジタル信号に変換される。画像形成回路４４で二次元画像が作られ、各ビームの作る画像を繋ぎ合わせて試料像を作る。
【００３８】
各ビームの信号強度を合わせるにもドット３０のパターンを使う。このドット３０の径はビーム間隔より十分大きな寸法なので、信号強度は十分大きい。そしてマルチ増幅器４２で得られる信号は、それぞれ各ビームの信号に分かれているので、隣の信号と混乱が生じることはない。信号の振幅を合わせるためには、マルチ増幅器４２の利得を調整可能にしておけばよい。
【００３９】
本願の第１発明によれば、マルチビームの一次ビーム光学系及び二次ビーム光学系を独立に評価できるので、設計通りのマルチビームでパターン評価を高精度で行なえる。
本願の第２発明の実施形態について、図５を参照して説明する。
【００４０】
図５は本願の第２発明のパターン評価方法に使われる電子光学系の詳細を示したものである。電子銃はカソード１０１、ウェーネルト１０２およびアノード１０３で構成されている。カソード１０１は加熱用タングステンフィラメント１２８に溶接されている。フィラメント１２８に電流を流すことによってカソードを加熱し、カソードから電子銃電流を流す。この電子銃から放出される電子線がクロスオーバを作らずに発散ビームを形成するよう、３つの電極のそれぞれの電圧が決められる。その結果、このビームの三次の球面収差は負の値を取ることがシュミレーションで明らかになっている。また、発散ビームの軌道をカソード方向に延長すると、カソードの後方に虚のクロスオーバが形成されることが、同じくシュミレーションからわかる。電子銃から放出された発散ビームは、コンデンサレンズ１０６で収束され、ＮＡ開口１１０にクロスオーバを形成する。コンデンサレンズ１０６の下にはマルチ開口１０７が配置され、該マルチ開口１０７によってマルチビームが発生される。ＮＡ開口１１０の径より十分小さい寸法のクロスオーバがＮＡ開口１１０あるいはその近傍に形成されていれば、電子線は実質的に遮断されず、ほとんど１００％のビームがこのＮＡ開口１１０を通過する。さらに、ＮＡ開口の寸法がクロスオーバ寸法より十分大きいので、ＮＡ開口が正確にクロスオーバ位置に一致していなくても問題はなく、収差はクロスオーバ寸法で規定される開口角で決まるので、収差的にも問題はない。したがって、レンズ調整の許容値が甘くてよい。
【００４１】
縮小レンズ１１１による上記クロスオーバの結像は、対物レンズ１１５の主面のわずかに上方の収差が最小になるｚ座標位置に結像される。ところでマルチ開口１０７の光軸から遠い場所の開口と光軸に近い開口とでは、前者のほうが収差が大きい。そして、電子銃が作るクロスオーバでの球面収差と、コンデンサレンズ１０６および縮小レンズ１０７による球面収差との差によって、対物レンズ主面近傍でのクロスオーバの収差が発生する。本発明では電子銃が作るクロスオーバは負の球面収差を持っているので、両者の差の収差しか発生せず、したがって、従来よりは影響は小さいｂマルチ開口１０７の光軸から離れた開口を通ったビームが、対物レンズ主面の収差の小さいＺ座標位置で光軸と交わるようにすれば、光軸近くの開口を通ったビームとの収差の差が緩和される。試料面上の走査は、静電偏向器１１２と、Ｅ×Ｂ分離器１１４の内側の静電偏向器との２段の偏向器を用いて行なった。この２段の偏向器の偏向量比は、上記のクロスオーバ位置とは異なる位置であるが対物レンズの主面よりわずかに上方の、偏向収差が最も小さくなる位置が偏向主点になるような偏向量比とした。
【００４２】
試料１１６上の走査点から放出された二次電子は、試料に−４ｋＶ、対物レンズの下の軸対称電極１２９に＋１６ｋＶ程度の電圧が印加されていることにより形成された加速電界に引かれて、加速・集束される。試料面の法線に対して±９０°以内の角度で放出された二次電子は、細いビームとなって対物レンズを通過し、Ｅ×Ｂ分離器１１４で一次光学系から分離されて二次光学系１１７の方向へ向かうが、ここでは非常に細いビームとなっているので、ＮＡ開口を設けないで、試料から発生した二次電子をほとんど検出器方向まで導くようにした。さらに信号のコントラストを向上したい場合には、各検出器の前面に小開口を設け、隣のビームから来た二次電子が迷い込まないようにしてもよい。二次光学系１１７に入射したマルチビームに対応する二次電子群は、拡大レンズ１１８，１２０によって相互間の間隔が拡大され、ＭＣＰ１２２にて走査位置の拡大像を作る。ＭＣＰ１２２でビーム毎に増倍された二次電子は、マルチアノード１２３で吸収され、抵抗１２４で電圧信号に変えられ、増幅器・Ａ／Ｄ変換器１２５でデジタル信号に変えられる。画像形成回路１２６で二次元画像が作られ、比較器１２７で欠陥検査等の評価が行なわれる。
【００４３】
一次ビーム単独でもビーム分解能等を評価できるように、試料面と同一Ｚ座標位置に設けられたマーカを走査する。マーカから放出された二次電子は、Ｅ×Ｂ分離器１１４の偏向方向を逆にすることにより、単一の二次電子検出器１１３の方へ導かれる。これによってマルチビームの個々を独立に評価できる。偏向器１０４，１０５は、コンデンサレンズ１０６およびマルチ開口１０７に対する軸合わせのためのもので、偏向器１０８，１０９は、ＮＡ開口１１０および縮小レンズ１１１に対する軸合わせ用である。拡大レンズ１１８は、Ｅ×Ｂ分離器に接近して配置できるように、レンズ外形が円錐形形状になるように作られている。偏向器１１９は、一次ビームの走査に同期して駆動され、二次ビームが常にレンズ１２０のレンズ中心を通るようにしている。また偏向器１２１は、走査に同期して駆動され、ＭＣＰ１２２上の所定の位置に二次電子が入射するよう補正が行なわれる。
【００４４】
本願の第２発明によれば、二次ビームを二次光学系に入れる前に一次ビームの強度、分解能、相対位置、姿勢等が評価できるので、正確なビーム調整を行なうことができる。また、一次ビーム、二次ビーム共ＮＡ開口でビームを遮ぎらないので強度の揃ったビームで照射でき、強度の揃った二次電子信号が得られる。
【００４５】
本願の第３発明の実施形態について、図６および図７を参照して説明する。
図６は本願の第３発明のパターン評価方法で用いられる電子光学系の概略を示したものである。単結晶ＬａＢ６カソード２０１、ウェーネルト２０２およびアノード２０３から成る電子銃を空間電荷制限条件で使用することにより、ショット雑音の小さい一次電子線を発生させることができる。２段の軸合わせ偏向器２０４，２０５を設け、コンデンサレンズ２０６，２０７，２０９とマルチ開口２１０とを軸合わせ可能にしている。コンデンサレンズの中央電極２０７には正の高電圧電源２０８から電圧が与えられ、低収差の集束を可能にしている。この結果、電子銃が作るクロスオーバ像をＮＡ開口２１３にて収差少なく合焦させることができる。また、このコンデンサレンズを電磁レンズにしても同様の低収差を実現できる。即ち、光軸近くの開口を通ったビームも、光軸から離れた開口を通ったビームも、ＮＡ開口２１３の中心を主光線が通ることになる。マルチ開口２１０の下には２段の偏向器２１１，２１２を設け、それによってＮＡ開口２１３と縮小レンズ２１４，２１５，２１７とを同時に軸合わせ可能にしている。縮小レンズの中央電極２１５には正の電源２１６から高電圧が与えられ、マルチ開口２１０の縮小像が作られる。この縮小レンズ２１４，２１５，２１７は、ＮＡ開口２１３の像を対物レンズ２２１，２２２，２２４の上側電極２２１の近傍に作る。この縮小レンズを正電圧動作させることによって、その球面収差を小さくする。また、この縮小レンズを電磁レンズにすることにより球面収差を同様に小さくできる。それによって、クロスオーバでの収差が小さくなると同時に、マルチ開口２１０の縮小像に関する収差も小さくなる。マルチ開口２１０の縮小像は対物レンズ２２１，２２２，２２４でさらに縮小され、試料２２６上にマルチビームを形成する。このレンズ２２１，２２２，２２４においても、電源２２３から正の高圧を中央電極２２２に与え、低収差をもたらす動作をさせるとともに、下側電極２２４にも電源２２５から正の電圧を与えてさらに低収差にすることを可能にしている。また、このレンズを電磁レンズとすることにより、低収差にできる。試料２２６は、２段の偏向器２１８と２１９を用いてマルチビームによって走査される。
【００４６】
試料２２６の走査点から放出された二次電子は、対物レンズ２２１，２２２，２２４の下側電極２２４の正の電圧と、電源２２７から試料２２６に与えられる負の電圧とが作る加速電界で加速され、細く集束されて対物レンズ２２１，２２２，２２４を通過し、Ｅ×Ｂ分離器２１９，２２０に入射し、そこで二次光学系の方向へ偏向される。二次光学系においては、Ｅ×Ｂ分離器２１９，２２０の後に設けられた第１拡大レンズ２２８，２２９，２３０と第２拡大レンズ２３２，２３３，２３４とによって二次電子像が拡大され、ＭＣＰ２３６の前面にマルチビームの像が形成される。一次電子の結像条件としては、縮小レンズ２１４，２１５，２１７のすぐ下の点２５０が物点になり、当然に像点は試料２２６上となる。二次電子は一次電子よりはるかにビームエネルギーが小さいので、一次ビームの合焦条件と同じ対物レンズ条件のもとでは、二次ビームの像点はＥ×Ｂ分離器２１９，２２０の近傍となる。この像点は第１拡大レンズ２２８，２２９，２３０の物点となる。第１拡大レンズ２２８，２２９，２３０が拡大レンズとして動作するためには、レンズ電極２２９と物点との間の距離が小さい必要がある。この条件を満たすには、Ｅ×Ｂ分離器２１９，２２０の偏向角を大きくするか、拡大レンズ２２８，２２９，２３０の外形を円錐形あるいは頂点の上側円の半径が小さい円錐台形状にするかの選択が考えられる。前者では一次ビームにおける偏向色収差が大きいために一次ビームを細く絞れないという問題があるので、本実施の形態では後者の方式を採った。即ち、前側電極２２８の外径を最も小さくし、中央電極２２９はこれより少し大きい外径とし、後側電極２３０の外径を最も大きくして、拡大レンズ全体の形状を円錐台形とした。一次ビームの通路に影響を与えないように、このレンズ２２８，２２９，２３０はＥ×Ｂ分離器２１９，２２０に近い物点に近付けるようにした。ＭＣＰ２３６に入射したマルチビームに対応する二次電子像は、それぞれが増倍され、ＭＣＰ２３６の背面の近くに置かれたマルチアノードで吸収され、抵抗２３７で電気信号に変えられ、増幅され、Ａ／Ｄコンバータ２３８でデジタル信号に変えられる。二次元画像形成回路２３９で二次元画像が作られ、これが比較器２４０でパターンデータ２４１と比較されて、欠陥検査等の評価が行なわれる。
【００４７】
なお、符号２３１，２３５は偏向器を示す。
電子線による評価のスループットを上げるには、マルチビームのビーム数が多いほうが良い。ビーム数を多くするため、本実施の形態では図７に符号２４２ないし２４９で示したようなマルチビームの配置とした。この例では光軸から半径５．３μｍ以内に２２本のビームを作った。ビーム間の最小間隔は２μｍであり、ｙ方向に投影したビーム間隔は０．５μｍである。
【００４８】
このビームをｘ方向に走査することによって容易に二次元画像を作ることができる。
本願の第３発明の方法によれば、一本の光軸の近くに複数のビームを作ることができるので、パターン評価を高スループットで行なうことができる。
【００４９】
次に上述した本願の各発明に係わる半導体デバイスの製造方法の実施の形態の例を説明する。
図８は、本発明の半導体デバイスの製造方法の一例を示すフローチャートである。この例の製造工程は以下の各主工程を含む。
１．ウェーハを製造するウェーハ製造工程（又はウェーハを準備するウェーハ準備工程）４００
２．露光に使用するマスクを製作するマスク製造工程（又はマスクを準備するマスク準備工程）４０１
３．ウェーハに必要な加工処理を行うウェーハプロセッシング工程４０２
４．ウェーハ上に形成されたチップを１個ずつ切り出し、動作可能にならしめるチップ組立工程４０３
５．できたチップを検査するチップ検査工程４０４
なお、それぞれの工程はさらにいくつかのサブ工程からなっている。
【００５０】
これらの主工程の中で、半導体のデバイスの性能に決定的な影響を及ぼす主工程がウェーハプロセッシング工程である。この工程では、設計された回路パターンをウェーハ上に順次積層し、メモリやＭＰＵとして動作するチップを多数形成する。このウェーハプロセッシング工程は以下の各工程を含む。
１．絶縁層となる誘電体薄膜や配線部、あるいは電極部を形成する金属薄膜等を形成する薄膜形成工程（ＣＶＤやスパッタリング等を用いる）
２．この薄膜層やウェーハ基板を酸化する酸化工程
３．薄膜層やウェーハ基板等を選択的に加工するためのマスク（レチクル）を用いてレジストのパターンを形成するリソグラフィー工程
４．レジストパターンに従って薄膜層や基板を加工するエッチング工程（例えばドライエッチング技術を用いる）
５．イオン・不純物注入拡散工程
６．レジスト剥離工程
７．さらに加工されたウェーハを検査する検査工程
なお、ウェーハプロセッシング工程は必要な層数だけ繰り返し行い、設計通り動作する半導体デバイスを製造する。
【００５１】
図９は、図８のウェーハプロセッシング工程の中核をなすリソグラフィー工程を示すフローチャートである。このリソグラフィー工程は以下の工程を含む。
１．前段の工程で回路パターンが形成されたウェーハ上にレジストをコートするレジスト塗布工程５００
２．レジストを露光する露光工程５０１
３．露光されたレジストを現像してレジストのパターンを得る現像工程５０２
４．現像されたレジストパターンを安定化させるためのアニール工程５０３
以上の半導体デバイス製造工程、ウェーハプロセッシング工程、リソグラフィー工程については、周知のものであり、これ以上の説明を要しないであろう。
【００５２】
上記７の検査工程に本発明に係るパターン評価方法を用いると、微細なパターンを有する半導体デバイスでも、スループットよく検査ができるので、全数検査が可能となり、製品の歩留まり向上、欠陥製品の出荷防止が可能となる。
【図面の簡単な説明】
【００５３】
【図１】本願の第１発明の実施の形態で用いられる電子光学系の概略図。
【図２】マーカのパターンに用いられる各種のドットを示す平面図。
【図３】単一の二次電子検出器として用いられるファラデーカップの構成を示す概略図。
【図４】ビーム分解能の測定方法を説明するための図。
【図５】本願の第２発明の実施の形態で用いられる電子光学系の概略図。
【図６】本願の第３発明の実施の形態で用いられる電子光学系の概略図。
【図７】本願の第３発明の実施の形態で用いられるマルチビームの配置を示す図。
【図８】デバイス製造プロセスのフローチャートである。
【図９】リソグラフィー工程のフローチャートである。
【符号の説明】
【００５４】
１，１０１，２０１：  カソード、  ２，１０２，２０２：  ウェーネルト、  ３，１０３，２０３：  アノード、  ５，６，１０４，１０５，１０８，１０９，２０４，２０５：  軸合わせ偏向器、  ７，１０６，２０６，２０７，２０９：  コンデンサレンズ、  ８，１０７，２１０：  マルチ開口、  ９，１０：  ＮＡ開口と縮小レンズヘの軸合わせ偏向器、  １１，１１０，２１３：  ＮＡ開口、  １２，１１１，２１４，２１５，２１７：  縮小レンズ、  １３，１１２：  走査用偏向器、  １５，１６，１１４：  Ｅ×Ｂ分離器、  １７，１１５，２２１，２２２，２２４：  対物レンズ、  １８，１１６，２２６：  試料、  １９，２１，１１８，１２０，２２８，２２９，２３０：  拡大レンズ、  ２０，２２，１１９，１２１，１３１，１３５：  軸合わせ偏向器、  ２３，１２２，２３６：  ＭＣＰ、  ２６：  ファラデーカップ、  ２７，２８，２９，３０：  ドット、  ４０，１２３：  マルチアノード、  ４１，１２４，２３７：  抵抗、  ４２，１２５：  マルチ増幅器、  ４３，１２５，２３８：  Ａ／Ｄコンバータ、  ４４，１２６，２３９：  画像形成回路、  １２７，２４０：  比較器、  １２８：加熱用タングステンフィラメント、  １２９：  軸対称電極。
【図１】
2006019032.tif 000005
【図２】
2006019032.tif 000006
【図３】
2006019032.tif 000007
【図４】
2006019032.tif 000008
【図５】
2006019032.tif 000009
【図６】
2006019032.tif 000010
【図７】
2006019032.tif 000011
【図８】
2006019032.tif 000012
【図９】
2006019032.tif 000013